(57)【要約】      （修正有）【課題】芝刈り機構と，刈草を受け入れる集草ボックスと，この集草ボックスを持ち上げるようにしたリフト機構とを備え，前記集草ボックスにおける後面の開口を開閉自在に塞ぐ後蓋板を備えて成る芝刈機において，前記集草ボックスを高く持ち上げたときにおける支持の安定性の向上を図り，小型・軽量化を達成する。【解決手段】集草ボックス１８における底部を開放して，この開放された底部を開閉自在に塞ぐ底蓋板２０を，その前端部が集草ボックス１８内に向かってはね上がるように開き回動するようにし，この底蓋板２０を後蓋板２１の開き作動に連動して開き作動するように集草ボックス１８内に配設した可撓性部材２７を介して連結する。【選択図】図１４
2008295433.tif 000002
【特許請求の範囲】
【請求項１】
芝刈り機構と，この芝刈り機構にて刈り取った刈草を前向きの姿勢で受け入れる集草ボックスと，この集草ボックスを前向きの姿勢で持ち上げるようにしたリフト機構とを備え，更に，前記集草ボックスにおける後面の開口を開閉自在に塞ぐようにした後蓋板を備えて成る芝刈機において，
前記集草ボックスにおける底部を開放して，この開放された底部を開閉自在に塞ぐ底蓋板を，当該底蓋板のうち少なくとも前端部が前記集草ボックス内に向かってはね上がるように開き回動するように構成し，更に，この底蓋板を，前記後蓋板に，当該後蓋板の開き作動に連動して開き回動するように，前記集草ボックス内に配設した可撓性部材を介して連結したことを特徴とする芝刈機。
【請求項２】
前記請求項１の記載において，前記底蓋板における開き回動の中心を，当該底蓋板における前端と後端との間の部位に位置したことを特徴とする芝刈機。
【請求項３】
前記請求項２の記載において，前記底蓋板における開き回動の中心を，当該底蓋板における前端と後端との中心位置よりも後端にずれた部位に位置したことを特徴とする芝刈機。
【請求項４】
前記請求項１〜３のいずれかの記載において，前記可撓性部材を金属製ワイヤーにして，この金属製ワイヤーの両端を，当該金属製ワイヤーをその軸線回りに適宜角度だけ捩じった状態にして，前記後蓋板及び前記底蓋板に結合したことを特徴とする芝刈機。
【発明の詳細な説明】
【技術分野】
【０００１】
本発明は，走行しながら芝草を刈り取るようにした芝刈機のうち，刈り取った刈草の適宜量を集めたのち高い位置まで持ち上げて排出するように構成した集草排出機構を備えて成る芝刈機に関するものである。
【背景技術】
【０００２】
従来，この種の芝刈機における集草排出機構には，例えば，特許文献１及び２に記載されているように，前記芝刈機の後部から後ろ向きに放出される刈草を，後面の開口部に開閉自在な後蓋板を備えて成る集草ボックス内に，当該集草ボックスを下降した位置において受け入れ，この集草ボックス内に所定量の刈草が入ると，前記集草ボックスを高い位置まで持ち上げたのち後蓋板を開きながら後面の開口部が下向きになるように後ろ向きに回動することによって，その内部に入れた刈草を高い位置から排出するという構成にしている。
【特許文献１】特開２００１−２７５４３８号公報
【特許文献２】特開２００２−８４８５０号公報
【発明の開示】
【発明が解決しようとする課題】
【０００３】
しかし，このように，集草ボックス内に受け入れた刈草の排出を，前記集草ボックスを，高く持ち上げた状態のもとで，その後面における開口が下向きになるように大きく後ろ向きに回動して行うものであることにより，前記の排出を行うときにおいて，前記集草ボックスの地面からの重心高さが高くなるから，前記集草ボックスが横方向に振れ易いというように，集草ボックスを高く持ち上げた状態での支持が不安定になるという問題があった。
【０００４】
しかも，前記集草ボックスを，これに刈草を入れて重くなった状態で，その後面における開口が下向きになるように大きく後ろ向きに回動しなければならず，この後ろ向き回動するための機構（例えば，油圧シリンダ等）を，出力の大きい従って大型のものに構成しなければならず，前記集草ボックスにおける重量が大幅に嵩むことになるから，集草ボックスを高く持ち上げた状態での支持の不安定性が増大するばかりか，前記リフト機構における大型化及び重量アップ，ひいては，芝刈機全体の大型化及び重量アップを招来するという問題もある。
【０００５】
本発明は，これらの問題を解消するために，排出時における地面からの重心高さを低くして，集草ボックスを高く持ち上げた状態での支持の安定化と，小型・軽量化とを図ることを技術的課題とするものである。
【課題を解決するための手段】
【０００６】
この技術的課題を達成するため請求項１は，
「芝刈り機構と，この芝刈り機構にて刈り取った刈草を前向きの姿勢で受け入れる集草ボックスと，この集草ボックスを前向きの姿勢で持ち上げるようにしたリフト機構とを備え，更に，前記集草ボックスにおける後面の開口を開閉自在に塞ぐようにした後蓋板を備えて成る芝刈機において，
前記集草ボックスにおける底部を開放して，この開放された底部を開閉自在に塞ぐ底蓋板を，当該底蓋板のうち少なくとも前端部が前記集草ボックス内に向かってはね上がるように開き回動するように構成し，更に，この底蓋板を，前記後蓋板に，当該後蓋板の開き作動に連動して開き回動するように，前記集草ボックス内に配設した可撓性部材を介して連結した。」
ことを特徴としている。
【０００７】
請求項２は，
「前記請求項１の記載において，前記底蓋板における開き回動の中心を，当該底蓋板における前端と後端との間の部位に位置した。」
ことを特徴としている。
【０００８】
請求項３は，
「前記請求項２の記載において，前記底蓋板における開き回動の中心を，当該底蓋板における前端と後端との中心位置よりも後端にずれた部位に位置した。」
ことを特徴としている。
【０００９】
請求項４は，
「前記請求項１〜３のいずれかの記載において，前記可撓性部材を金属製ワイヤーにして，この金属製ワイヤーの両端を，当該金属製ワイヤーをその軸線回りに適宜角度だけ捩じった状態にして，前記後蓋板及び前記底蓋板に結合した。」
ことを特徴としている。
【発明の効果】
【００１０】
前記請求項１に記載した構成において，刈り取り作業の進行に伴い，集草ボックス内に所定量の刈草を受け入れると，リフト機構が，前記集草ボックスを高い位置まで持ち上げる。
【００１１】
この持ち上げた状態で，前記集草ボックスの後面における後蓋板を開き作動すると，これに連動して，前記集草ボックスの底面における底蓋板も開き作動することにより，前記集草ボックス内の刈草は，地面からの高い位置より排出される。
【００１２】
つまり，集草ボックス内からの刈草の排出は，集草ボックスの後面における後蓋板の開き作動に連動して底蓋板が開き作動することによって行うものであって，前記した従来のように，集草ボックスを，高く持ち上げた状態で，その全体を大きく後ろ回動することを必要としないことにより，高く持ち上げたときにおける地面からの重心高さを従来の場合よりも大幅に低くすることができ，しかも，前記後蓋板を開閉作動するだけで良くて，その開閉作動を，前記従来の場合よりも比較的出力の小さい，従って小型の機構（例えば，油圧シリンダ）にて行うことができ，集草ボックスにおける重量を軽減できるから，集草ボックスを高く持ち上げた状態での支持の安定性をより向上できるとともに，リフト機構における小型化及び軽量化，ひいては，芝刈機全体の小型化及び軽量化を確実に図ることができる。
【００１３】
そして，前記底蓋板を，当該底蓋板のうち少なくとも前端部が前記集草ボックス内に向かってはね上がるように開き回動するという構成にすることにより，前記集草ボックス内における刈草の全てを確実に排出することができるとともに，刈草の排出位置を，芝刈機から離れた位置にすることができる。
【００１４】
これに加えて，前記底蓋板の前記後蓋板に対する連動連結を，前記集草ボックス内に配設した可撓性部材を介して行うように連結したことにより，その連動機構を集草ボックスに内蔵でき，ひいては，前記集草ボックスの更なる小型化及び軽量化を図ることができるから，芝刈機全体の更なる小型化及び軽量化を達成できる。
【００１５】
前記請求項２に記載したように，前記底蓋板における開き回動の中心を，当該底蓋板における先端と後端との間の部位に位置することにより，刈草の排出に際して，前記底蓋板をはね上げるように開き回動したとき，この底蓋板のうち後端部の部分には，排出落下中の刈草が当たることで，前記底蓋板は，これと前記後蓋板とを連結する可撓性部材を弛ませながら，前記後蓋板の開き作動にかかわらず自動的に更にはね上げるように大きく開き回動するから，刈草の全てをより円滑に排出することができる。
【００１６】
この請求項２においては，前記底蓋板における開き回動の中心を，請求項３に記載したように，当該底蓋板における前端と後端との中心位置よりも後端にずれた部位に位置にすることにより，前記底蓋板における閉じ回動を，当該底蓋板のうち前端部における重量にて自動的に行うことができる。
【００１７】
特に，請求項４に記載したように，前記可撓性部材を，金属製ワイヤーにして，この金属製ワイヤーの両端を，当該金属製ワイヤーをその軸線回りに適宜角度だけ捩じった状態にして，前記後蓋板及び前記底蓋板に結合したことにより，前記可撓性部材における耐久性の向上及び軽量化を図ることができるものでありながら，前記金属製ワイヤーのうち途中の部分は，前記底蓋板が閉じたときにその上面に接当する状態になるから，前記金属製ワイヤーが前記集草ボックス内に刈草を受け入れることに邪魔になることを確実に回避できる。
【発明を実施するための最良の形態】
【００１８】
以下に，本願発明を具体化した実施形態を図面（図１〜図２０）に基づいて説明する。図１は実施形態における芝刈機の側面図，図２は図１の平面図，図３は図１において集草ボックスを取り外して斜め後方から見た斜視図，図４は図１において集草排出機構を斜め前方から見た斜視図，図５は図４のＩＶ−ＩＶ視断面図，図６は集草排出機構を構成するリフト機構を示す斜視図，図７は図６の要部拡大図，図８は集草ボックスを最大上げ位置で斜め前方から見た斜視図，図９は集草ボックスを最大上げ位置で斜め後方から見た斜視図，図１０は刈草放出作業の第１状態を示す図，図１１は刈草放出作業の第２状態を示す図，図１２は刈草放出作業の第３状態を示す図，図１３は刈草放出作業の第４状態を示す図，図１４は刈草放出作業の第５状態を示す図，図１５は芝刈機の油圧回路図，図１６は昇降操作レバー及び開閉操作レバーの取り付け構造を示す一部切欠き側面図，図１７は昇降操作レバー及び開閉操作レバーの取り付け構造を示す正面図，図１８は開閉操作レバーの作動説明図，図１９は昇降操作レバーの作動説明図，図２０は安全機構の電気回路図である。
【００１９】
（１）．芝刈機の概略
これらの図において，符号１は，乗用型の芝刈機を示し，この芝刈機１は，前後方向に延びる左右一対のサイドフレーム３にて構成した走行機体２を有し，この走行機体２は，地面４に接地する左右一対の前輪５と，同じく地面４に接地する左右一対の後輪６とで支持され，且つ，この走行機体２には，その上面に前部から順番にエンジン７，操縦ハンドル８，操縦座席９が設けられていると共に，前記エンジン７を着脱可能に覆うボンネットカバー１０，前記操縦座席９に対するステップ台１１及び前記両後輪６を覆うフェンダー１２が設けられている。この場合，操縦座席９に座ったオペレータが操縦ハンドル８を回動操作すると，その操作量（回動量）に応じて後述するパワーステアリング用の油圧式トルクジェネレータ１３７（図１５参照）が作動して，左右の前車輪５の舵取り角（操向角度）が変わるように構成されている。
【００２０】
操縦座席９の下方には，後述する静油圧式（ＨＳＴ式）無段変速機９５等を有するミッションケース６１が配置されている。実施形態では，左右両サイドフレーム３の後部が前低後高形の傾斜部になっており，これら両傾斜部にミッションケース６１が支持されている。また，ミッションケース６１は，エンジン７からの動力を適宜変速して左右の後車輪６に伝達することによって，前進走行又は後退走行するように構成されている。
【００２１】
前記走行機体２における下面には，前輪５と後輪６との間の部位に，前記エンジン７からの動力伝達による駆動にて前記地面４における芝草を刈り取るようにしたロータリー式の芝刈り機構１３が昇降可能に設けられているとともに，両後輪６間の部位に，前記ロータリー式の芝刈り機構１３にて刈り取った刈草を走行機体２の後方に向かって放出するようにした排出ダクト１４が後方に延びるように設けられている。
【００２２】
なお，前記両後輪６における中心部の外側面には，図１及び図２に示すように，金属棒を半円形のループ状等に曲げ加工して成るロープ掛け具１５が，当該後輪６の中心におけるハブをその車軸に対して着脱可能に取付けるための複数本のボルト１５ａによる同時に締結にて着脱自在に取付けされており，前記芝刈機１をトレーラ等に載せて搬送するときにおいて，当該芝刈機１のうち後部をトレーラ等に対して固定するためのロープ又は鎖等を前記ロープ掛け具１５に対して掛けることができるように構成している。
【００２３】
このロープ掛け具１５は，ループ状にすることに限らず，フック状に構成しても良いが，図示のように半円形のループ状に構成した場合には，これに草等が巻き付くことを低減できるばかりか，剛性を向上できる等の利点がある。また，このような構成のロープ掛け具１５は，前記両後輪６に代えて両前輪５に設けるか，両前輪５及び両後輪６の両方に設けることができる。
【００２４】
前記芝刈機１の後部には，前記排出ダクト１４から後方に放出される刈草を，詳しくは後述するように，集めて高く持ち上げて排出するように集草排出機構１６が装着されている一方，前記芝刈機１の前部には，前記集草排出機構１６に対して前後の重量バランスを図るためのウエイト１７が取付けられている。
【００２５】
左右両サイドフレーム３における傾斜部の後端部分には，エンジン７に燃料を供給する燃料タンク６２が搭載されている。右サイドフレーム３における傾斜部の外側に，ミッションケース６１の静油圧式無段変速機９５等に作動油を供給するためのオイルタンク６３が搭載されている。左サイドフレーム３における傾斜部の外側（燃料タンク６２を挟んでオイルタンク６３と反対側）には，エンジン７の始動等に用いるバッテリ６４が搭載されている。
【００２６】
（２）．動力伝達系統
次に，図１及び図２を参照しながら，芝刈機１の動力伝達系統について説明する。
【００２７】
実施形態の芝刈機１では，エンジン７の回転動力の一部を左右両後輪６に配分する二輪駆動方式が採用されている。すなわち，エンジン７の回転動力の一部は，エンジン７から前後外向きに突出する出力軸６５の後端部から，前後両端に自在継手を有する推進軸６６と，ミッションケース６１より前方の部位に配置された走行用伝動中継ケース６７と，無端入力ベルト６８とを介して，ミッションケース６１に伝達される。そして，ミッションケース６１に左右外向きに突設した水平な左右の後輪駆動軸６９から，左右の無端後輪駆動チェン７０を介して走行機体１の後部側にある左右の車軸に伝達される。その結果，左右の車軸に取り付けられた左右の後車輪６が回転駆動することになる。
【００２８】
他方，エンジン７の他の回転動力は，出力軸６５の前端部から，ＰＴＯ動力伝達用の無端ＰＴＯ伝動ベルト７１を介して，エンジン７の下方に回動可能に配置されたＰＴＯ軸７２に伝達される。次いで，ＰＴＯ軸７２から，前後両端に自在継手を有する中間軸７３を
介して，芝刈り機構１３の上面のうち右サイドフレーム３より更に右側の部位に配置されたモア用ギヤボックス７４に動力伝達される。その結果，芝刈り機構１３を構成する左右一対の刈刃（図示せず）が回転駆動し，これら両刈刃にて地面に植立した芝草等を刈り取りながら，刈草を芝刈り機構１３の左右幅中央に集めて排出ダクト１４に放出することになる。
【００２９】
（３）．集草排出機構の構成
次に，図１〜図９を参照しながら，集草排出機構１６の構造について説明する。
【００３０】
前記集草排出機構１６は，前面に前記排出ダクト１４の後端が臨む開口部１８ａを備えた集草ボックス１８と，前記集草ボックス１８を，下降した位置において前記排出ダクト１４から放出される刈草を受け入れる前向きの姿勢（前面側を開口した姿勢）と，この前向き姿勢のままで高く持ち上げた状態とに往復して昇降動するように構成したリフト機構１９とを備えている。
【００３１】
（３−１）．集草ボックスの詳細
前記集草排出機構１６における集草ボックス１８は，左右両側面及び上面を，多孔板（パンチング板）又は金網等の通気性板製の側面板１８ｂ及び天井板１８ｃにて囲う一方，その底面及び後面を開放するという構成であり，この集草ボックス１８のうち開放された底面は，開閉自在な底蓋板２０にて，同じく開放された後面は，開閉自在な後蓋板２１にて塞ぐように構成されている。
【００３２】
前記底蓋板２０は，前記集草ボックス１８の左右両側面板１８ｂの外側に固着したブラケット部材２２の下端に枢着ピン２３にて回動自在に枢着されている。この底蓋板２０は，多孔板（パンチング板）又は金網等のように通気性を有する薄金属板を，図５に示すように，前端から後方に向かって比較的緩やかな角度で斜め上向きに傾斜する傾斜部２０ａと，この傾斜部２０ａの後端から下向きに折れ曲がる鉛直部２０ｂとを複数回にわたって繰り返して設けるというように，高さの低い鋸歯状の断面に折り曲げることでその剛性を高めるという構成になっている。
【００３３】
枢着ピン２３の位置は，当該底蓋板２０における後端よりも前側の部位で，且つ，当該底蓋板２０における前端と後端との間の中心位置よりも適宜寸法だけ後端にずれた部位に位置している。従って，前記底蓋板２０は，通常の状態においてはその枢着ピン２３より前側の重量にて前記集草ボックス１８における左右両側面板１８ｂの下端相互間を連結する横部材３９の上面に接当して，前記集草ボックス１８における開放された底部の全てを閉じて（塞いで）いるが，その後端部に対して下向きに外力が作用すると，その枢着ピン２３を中心にして前端が跳ね上がるように開き回動するという構成にされている。
【００３４】
一方，前記後蓋板２１は，同じく，多孔板（パンチング板）又は金網等のよう通気性板製であり，その左右両側面において前記集草ボックス１８の左右両側面板１８ｂの外側面にピン軸２４ａ，２５ａにて回転自在に枢着して成る上下一対のリンク２４，２５に対して回動自在に連結することにより，前記集草ボックス１８において開放された後面を閉じる状態と，後面から跳ね上がるように開く状態とに開閉作動するように構成されており，この開閉作動を，前記ブラケット部材２２と，前記上下一対のリンク２４，２５のうち下部リンク２５との間に装架した複動型の開閉用油圧シリンダ２６によって行うように構成している。
【００３５】
前記後蓋板２１と，前記底蓋板２０における前端部との間を，前記集草ボックス１８の内部に配設した連係手段の一例としての左右一対の金属製ワイヤ２７又はチェン等の可撓性部材にて連結することにより，前記後蓋板２１が開閉用油圧シリンダ２６におけるピストン突出動にて集草ボックス１８の後面を開放するように跳ね上がり回動すると，これに前記金属製ワイヤ２７を介して連動して，前記底蓋板２０が，その前端が跳ね上がる一方後端が下がるように回動して集草ボックス１８の底面を開放し，前記後蓋板２１が開閉用油圧シリンダ２６におけるピストン後退動にて集草ボックス１８の後面を閉じる状態に戻ると，これに連動して，前記底蓋板２０が，その前側の重量にて集草ボックス１８の底面を閉じる状態に戻るというように構成している。
【００３６】
前記可撓性部材を，前記したように金属製ワイヤ２７にした場合には，この両金属製ワイヤ２７の両端を前記底蓋板２０及び後蓋板２１に対してピン２７ａ，２７ｂにて回動自在に連結するに際し，前記金属製ワイヤ２７をその長手軸線の回りに適宜角度（例えば，０〜１８０度）だけその弾性に抗して捩じった状態にし，この状態で前記ピン２７ａ，２７ｂにて結合するという構成にする。
【００３７】
これにより，前記底蓋板２０及び後蓋板２１が閉じた状態にあるとき，前記金属製ワイヤ２７における途中で弛んでいる部分は，その捩じりにて，図１に示すように，前記底蓋板２０の上面に接当する状態に維持できることになるから，前記集草ボックス１８内への刈草の受け入れに際し，前記金属製ワイヤ２７が邪魔になることを回避できる。
【００３８】
この場合，他の実施の形態としては，前記集草ボックス１８における両外側において，前記後蓋板２１に対する開閉機構であるところの前記上下部リンク２４，２５のうち一方又は前記開閉用油圧シリンダ２６と，前記底蓋板２０とを連動連結することによって，前記後蓋板２１の開き作動に連動して前記底蓋板２０が開き回動するように構成することができる。
【００３９】
なお，前記集草ボックス１８の前面における開口部１８ａの下辺には，前記排出ダクト
１４の後端から後方に放出される刈草を前記集草ボックス１８内に零すことなく円滑に誘導するための底部誘導板２８が設けられている。
【００４０】
（３−２）．リフト機構の詳細
前記集草排出機構１６におけるリフト機構１９は，図３〜図７に示すように構成されている。すなわち，このリフト機構１９は，前記集草ボックス１８を挟む左右両側の各々に配設したマスト部材２９，複動型の昇降用油圧シリンダ３０及び上下一対のリフト用リンク３１，３２を備え，前記両マスト部材２９は，中空断面の角パイプ製で上下方向に延びて，その下端部２９ａにおいて前記走行機体２の後部に対してボルト５９の締結等にて着脱可能に取付けられており，且つ，その相互間は複数本の横部材３３にて連結され，前記芝刈機１の走行方向から見て井桁状に構成されている。
【００４１】
なお，この両マスト部材２９の走行機体２への着脱可能な状態での取付けは，前記走行機体２における両サイドフレーム３の後端へのボルト５９による締結と，前記両サイドフレーム３の後端から下向きに延びる後輪支持用フレーム３ａへのボルト５９による締結にて行うように構成している。
【００４２】
また，前記両マスト部材２９は，側面視（図１，図３，図４及び図６）において，その上端部２９ｂが前記走行機体２に対する取付け部である下端部２９ａよりも適宜寸法Ｅだけ前方に位置するように，その途中の部分において前側に曲げられており，この両マスト部材２９における上端部２９ｂの後面には，後ろ向きの溝型断面に構成した上部ブラケット部材３４が溶接等にて固着されている一方，この両マスト部材２９における下端には，下部ブラケット部材３５が，後ろ向きに突出するように固着されている。
【００４３】
前記上下一対のリフト用リンク３１，３２の基端は，前記両マスト部材２９の上端部２９ｂにおける上部ブラケット部材３４に対して，当該上部ブラケット部材３４における溝内に挿入した状態で，この上部ブラケット部材３４を貫通するように着脱自在に差し込んだリフトピン３６，３７にて回動自在に枢着されている。
【００４４】
つまり，前記両リフト用リンク３１，３２の基端に対するリフトピン３６，３７は，前記上部ブラケット部材３４に対して両端支持の構造であることにより，当該リフトピン３６，３７による支持の剛性及び耐久性を向上でき，これに加えて，前記両リフト用リンク３１，３２の基端は，前記上部ブラケット部材３４における溝内に挿入されていることにより，前記リフト用リンク３１，３２の横方向への振れを確実に低減できる。
【００４５】
また，前記両マスト部材２９を，上端部２９ｂが下端部２９ａよりも適宜寸法Ｅだけ前方に位置するというように前側に曲げた構成にしたことにより，前記上下一対のリフト用リンク３１，３２基端のリフトピン３６，３７における前記走行機体２の前後方向に沿った位置を，前記マスト部材２９を真っ直ぐの構成にした場合よりも，前記適宜寸法Ｅだけ前方（走行機体２側）の部位に位置することができるから，前記集草ボックス１８を，後述するように，最高に上昇動したときに，その最高上昇高さを前記適宜寸法Ｅの分だけ高くすることができ，また，その最高高さを得ることに要するリフト用リンク３６，３７の長さを，前記適宜寸法Ｅの分だけ短くできる。
【００４６】
しかも，この集草ボックス１８における前記走行機体２に対する支持荷重の作用点が，前記適宜寸法Ｅの分だけ前方（走行機体２側）に位置するから，前記走行機体２における後ろ荷重を低減することができる。
【００４７】
一方，前記上下一対のリフト用リンク３１，３２のうち上部リンク３１の先端は，前記集草ボックス１８の左右両側面板１８ｂの外側に固着したブラケット部材２２にピン３８にて回動自在に枢着され，前記上下一対のリフト用リンク３１，３２のうち下部リンク３２の先端は，前記底蓋板２０に対する枢着ピン２３にて前記集草ボックス１８の左右両側面板１８ｂの下端部に対して回動自在に枢着されている。
【００４８】
なお，前記上下一対のリフト用リンク３１，３２のうち下部リンク３２の先端における前記集草ボックス１８に対する枢着ピンは，前記集草ボックス１８における底蓋板２０に対する枢着ピン２３と一体の兼用にしているが，下部リンク３２先端における集草ボックス１８に対する枢着ピンを，底蓋板２０に対する枢着ピン２３とを別体に構成できることは勿論である。
【００４９】
前記両マスト部材２９の下端における下部ブラケット部材３５の内面の各々には，レバー体４０が回動自在にピン４１にて枢着され，この両レバー体４０の相互間は，両レバー体４０が同時に回動するように横部材４２を介して一体的に連結されており，この両レバー体４０の各々には，前記昇降用油圧シリンダ３０の基端がシリンダ枢着用ピン４３にて回動自在に連結されている。
【００５０】
また，前記両レバー体４０は，当該レバー体４０が後方に回動したときに，前記シリンダ枢着用ピン４３が前記下部ブラケット部材３５の後端におけるストッパー部４４に対して，これ以上の後方回転を阻止するように接当するという構成である。
【００５１】
この場合，前記ストッパー部４４に対して前記シリンダ枢着用ピン４３が接当するという構成にすることに代えて，前記ストッパー部４４に対して前記レバー体４０に設けた別のストッパー部材が接当するという構成にしても良い。
【００５２】
これに加えて，前記両レバー体４０には，当該レバー体４０が後方回動して，シリンダ枢着用ピン４３がストッパー部４４に対して接当した状態において，前記下部ブラケット部材３５の下面から下向きに突出するようにしたアウトリガー４５と，前記下部ブラケット部材３５におけるストッパー部４４と実質的に同じ位置にまで後方に突出するか，このストッパー部４４よりも更に後方に突出するようにしたバンパー体４６とが設けられている。
【００５３】
更に，前記両レバー体４０には，当該レバー体４０が前方に回動したときに，前記下部ブラケット部材３５又は前記マスト部材２９に対して，これ以上の前方回転を阻止するように接当するストッパー片４７が設けられている。
【００５４】
そして，前記両昇降用油圧シリンダ３０の先端を，前記上下一対のリフト用リンク３１，３２のうち下部リンク３２に対してピン４８にて連結して，前記上下一対のリフト用リンク３１，３２を，前記両昇降用油圧シリンダ３０にて上下方向に回動することにより，前記集草ボックス１８を，下げ位置において前記排出ダクト１４から放出される刈草を受け入れる前向きの姿勢と，この前向きの姿勢のままで高く持ち上げた状態とに往復して昇降動するように構成している。
【００５５】
すなわち，前記昇降用油圧シリンダ３０におけるピストン突出動にて前向き姿勢の集草ボックス１８を高く持ち上げる一方，前記昇降用油圧シリンダ３０におけるピストン後退動にて前向き姿勢の集草ボックス１８を元の位置に下降するように構成している。
【００５６】
なお，上下一対のリフト用リンク３１，３２のうち下部リンク３２には，前記集草ボックス１８を高く持ち上げた姿勢のときに，前記両マスト部材２９の上端部２９ｂ又は第１ブラケット部材３４に対して，下向き回動を阻止するように着脱自在に係合するフック状のロック手段４９が設けられており，このフック状のロック手段４９は，上部リンク３１に設けるか，前記両マスト部材２９の上端部２９ｂ又は第１ブラケット部材３４側に設けても良い。
【００５７】
また，右側におけるリフト用リンク３１，３２と，左側におけるリフト用リンク３１，３２との相互間は，これらの各リンクが同時に回動するように，その上端の部分において横部材５０，５１を介して連結されている。
【００５８】
更にまた，前記芝刈機１のうちその操縦座席９から手が届く部位には，前記ロータリー式の芝刈り機構１３をＯＮ・ＯＦＦ操作するためのＰＴＯ操作レバー５２が設けられているとともに，前記開閉用油圧シリンダ２６を，ピストン突出動する開位置，ピストン後退動する閉位置及びその中間でピストン作動停止する中立位置に切り換え操作するための開閉操作レバー５３が設けられ，更に，前記昇降用油圧シリンダ３０を，ピストン突出動する上げ位置，ピストン後退動する下げ位置及びその中間でピストン作動停止する中立位置に切り換え操作するための昇降操作レバー５４が設けられている。
【００５９】
（４）．芝刈機の油圧回路構造
次に，図１５を参照しながら，芝刈機１の油圧回路９１構造について説明する。
【００６０】
芝刈機１の油圧回路９１は，エンジン７の回転力にて作動するチャージ用油圧ポンプ９２及び可変容量形の変速用油圧ポンプ９３と，変速用油圧ポンプ９３から吐出される高圧の作動油にて作動する定容量形の変速用油圧モータ９４とを備えている。変速用油圧ポンプ９３と変速用油圧モータ９４とは静油圧式無段変速機９５を構成するものであり，実施形態の静油圧式無段変速機９５（変速用油圧ポンプ９３及び変速用油圧モータ９４）は，ミッションケース６１に内蔵されている。
【００６１】
変速用油圧ポンプ９３と変速用油圧モータ９４とは，閉ループ油路９６を介してそれらの吸入側及び吐出側が接続されている。エンジン７の動力にて駆動する変速用油圧ポンプ９３の斜板９７を，操縦ハンドル８の右側下部に配置された変速ペダル８１（図１，図２及び図１５参照）にて角度調節することにより，変速用油圧モータ９４からの動力にて駆動する左右の車軸（走行機体１後部側の車軸）の回転数が変更される。その結果，左右の車軸に取り付けられた後車輪６の回転速度，ひいては走行機体２の車速（走行速度）が変更されることになる。
【００６２】
上述した油圧回路９１には，図１５に示すように，リリーフ弁やオイルフィルタ，チェック弁等を備えている。チャージ用油圧ポンプ９２の吸入側は，低圧チャージ油路９８を介して，オイルタンク６３内にあるストレーナ９９に接続されている。チャージ用油圧ポンプ９２の吐出側には，補給用リリーフ弁１００及び戻し用リリーフ弁１０１を有する高圧チャージ油路１０２が接続されている。高圧チャージ油路１０２は，補給用リリーフ弁１００，前進補充用のチェック弁１０３及び後進補充用のチェック１０４弁等を介して，閉ループ油路９６に接続されている。
【００６３】
従って，エンジン７の作動中は，チャージ用油圧ポンプ９２からの作動油が閉ループ油路９６に常に補充されることになる。また，チャージ用油圧ポンプ９２から閉ループ油路９６に供給するための各チャージ油路９８，１０２の作動油が余れば，各チャージ油路９８，１０２の作動油が戻し用リリーフ弁１０１を介してオイルタンク６３に戻されること
になる。
【００６４】
一方，閉ループ油路９６には，変速用油圧ポンプ９３の吸入側及び変速用油圧モータ９４の吐出側の間と，変速用油圧モータ９４の吸入側及び変速用油圧ポンプ９３の吐出側の間とで短絡させるためのバイパスバルブ１０５が接続されている。バイパスバルブ１０５に関連して設けられたバイパス切換レバー１０６の操作にて，閉ループ回路９６が短絡していない状態（図１５に示すバイパスバルブ１０５の状態）にバイパスバルブ１０５を切り換えると，変速用油圧ポンプ９３と変速用油圧モータ９４とが閉ループ油路９６を介して走行駆動状態に連通し，エンジン７の回転動力にて後車輪６が駆動されることになる。
【００６５】
他方，バイパス切換レバー１０６の操作にて，閉ループ回路９６が短絡した状態にバイパスバルブ１０５を切り換えると，変速用油圧モータ９４が自由回転状態（無負荷で回転する状態）に保持されることになる。例えば燃料タンク６２の燃料がなくなる等の故障に起因して後車輪６を駆動できない状態になったときに，上述の切換操作を実行すると，ミッションケース６１内の静油圧式無段変速機９５が無負荷状態に保持されるから，オペレータは走行機体２を押して移動させることができる。
【００６６】
チャージ用油圧ポンプ９２は，複動型の昇降用油圧シリンダ３０に作動油を供給するための昇降用油圧バルブ１０７に，誤作動防止用チェック弁１０８及び昇降用油圧バルブ１０７（昇降用油圧シリンダ３０）への作動油の供給を調節制御するための電磁放てきバルブ１３５を介して接続されている。電磁放てきバルブ１３５は，後述する各種センサ１４〜１４５（図２０参照）の検出信号（入り切り信号）に対応した電磁放てきソレノイド１３６の駆動にて自動的に切換作動する構成になっている。昇降用油圧バルブ１０７のタンクポートには，複動型の開閉用油圧シリンダ２６に作動油を供給するための開閉用油圧バルブ１０９が接続されている。また，前述の電磁放てきバルブ１３５は，開閉用油圧バルブ１０９とその下流側にあるトルクジェネレータ１３７（詳細は後述する）との間の油路にも接続されている。
【００６７】
電磁放てきバルブ１３５が昇降用油圧バルブ１０７に作動油を供給する状態（図１５に示す電磁放てきバルブ１３５の状態であり，以下，供給状態と称する）で，昇降操作レバー５４の操作にて昇降用油圧バルブ１０７を切換作動させると，昇降用油圧シリンダ３０が伸縮作動して，集草ボックス１８が，排出ダクト１４から放出される刈草を前向きの姿勢で受け入れる下げ位置と，前向きの姿勢のままで高く持ち上げたときの上げ位置とに昇降動することになる。
【００６８】
開閉操作レバー５３の操作にて開閉用油圧バルブ１０９を切換作動させると，開閉用油圧シリンダ２６が伸縮作動して，後蓋板２１が，集草ボックス１８において開放された後面を閉じる状態と，後面から跳ね上がるように開く状態とに開閉作動することになる。また，後蓋板２１の開閉作動に伴い，底蓋板２０は，金属製ワイヤ２７の引張りにて前端が跳ね上がり後端が下がるように回動して集草ボックス１８の底面を開放した状態と，前側の重量にて集草ボックス１８の底面を閉じた状態とに開閉作動することになる。
【００６９】
電磁放てきバルブ１３５が昇降用油圧バルブ１０７に作動油を供給停止した状態（以下，供給停止状態と称する）になると，チャージ用油圧ポンプ９２から電磁放てきバルブ１３５を経由した作動油は，昇降用油圧シリンダ３０には送られず，開閉用油圧バルブ１０９ひいては開閉用油圧シリンダ２６のみに供給されることになる。従って，この状態では，開閉操作レバー５３の操作にて後蓋板２１及び底蓋板２０だけが開閉作動でき，昇降操作レバー５４を操作しても，昇降用油圧シリンダ３０ひいては集草ボックス１８は昇降動しない。
【００７０】
ダンプバルブ１０９のタンクポートには，操向ハンドル１０の操作にて発生させた大きな油圧力を利用して前車輪５を操舵作動するためのパワーステアリング用のトルクジェネレータ１３７が接続されている。トルクジェネレータ１３７は，並列状のラインフィルタ１１０及びリリーフ弁１１１を介して，戻し用リリーフ弁１０１に接続されている。従って，トルクジェネレータ１３７からの作動油は，ラインフィルタ１１２を介してオイルタンク６３に戻されることになる。なお，トルクジェネレータ１３７は，操向ハンドル１０の回動操作にて切り換えるコントロールバルブと，該コントロールバルブにて作動させる油圧ポンプ等とからなり，当該油圧ポンプの回転力を利用して前車輪５を方向転換させるように構成されている。
【００７１】
図１５から明らかなように，昇降用油圧バルブ１０７，開閉用油圧バルブ１０９及びトルクジェネレータ１３７は，チャージ用油圧ポンプ９２に対してそれぞれ直列に接続されている。このため，電磁放てきバルブ１３５が供給状態のときにおいて，昇降用油圧バルブ１０７の切換作動にて昇降用油圧シリンダ３０が伸縮駆動している間は，開閉用油圧シリンダ２６及びトルクジェネレータ１３７が駆動しない。
【００７２】
また，電磁放てきバルブ１３５が供給状態のときに，開閉用油圧バルブ１０９の切換作動にて開閉用油圧シリンダ２６が伸縮駆動している間は，トルクジェネレータ１３７が駆動しない。更に，電磁放てきバルブ１３５が供給状態のときに，昇降用油圧シリンダ３０及び開閉用油圧シリンダ２６が共に駆動していなければ，トルクジェネレータ１３７が駆動することになる。
【００７３】
すなわち，電磁放てきバルブ１３５が供給状態のときにおいて，昇降用油圧バルブ１０７，開閉用油圧バルブ１０９及びトルクジェネレータ１３７は，この順番で優先的に駆動する構成になっている。
【００７４】
（５）．昇降操作レバー及び開閉操作レバーの取り付け構造
次に，図１６〜図１９を参照しながら，昇降操作レバー５４及び開閉操作レバー５３の取り付け構造について説明する。
【００７５】
操縦座席９の右斜め後方に配置された油圧ユニットケース１１６（図２参照）には，チャージ用油圧ポンプ９２，昇降用油圧シリンダ３０及び開閉用油圧シリンダ２６に油圧配管（図示せず）を接続するための油圧配管ブロック１１４と，昇降用油圧バルブ１０７及び開閉用油圧バルブ１０９を有する油圧バルブユニット体１１５とが内蔵されている。
【００７６】
油圧バルブユニット体１１５の前面には，レバー軸受部１１７を介して，昇降操作レバー５４及び開閉操作レバー５３が上下方向に回動操作可能に取り付けられている。昇降操作レバー５４は，昇降用油圧バルブ１０７が中立の状態で，油圧バルブユニット体１１５の前方に向けて略水平に突出している。昇降操作レバー５４を上下に回動操作すると，昇降用油圧バルブ１０７が上昇側又は下降側に切り換わって，昇降用油圧シリンダ３０が伸縮駆動する。開閉操作レバー５３を上下に回動操作すると，開閉用油圧バルブ１０９が開き動側又は閉じ動側に切り換わって，開閉用油圧シリンダ２６が伸縮駆動する。
【００７７】
また，油圧ユニットケース１１６は，両操作レバー５３，５４の上下回動をガイド（案内）するためのレバーガイド体１１８と，操縦ハンドル８の右側下部に配置されたブレーキペダル８２（図１，図２及び図１５参照）に制動検出用ワイヤ１１９を介して連動連結されたロックアーム体１２０と，リフト両操作レバー５３，５４のうちいずれか一方を操作したときに他方の操作を制限する牽制アーム体１２１とを備えている。実施形態では，油圧ユニットケース１１６内に固定されたレバーガイド体１１８に，ロックアーム体１２０及び牽制アーム体１２１が，前後に延びる支軸１２２を介してそれぞれ独立的に回動可能に軸支されている。
【００７８】
ロックアーム体１２０は正面視略鉤状の形態になっており，ロックアーム体１２０において昇降操作レバー５４に対峙する側端部１２０ｂには，昇降操作レバー５４の軸部に引っ掛かり係合可能な昇降規制ノッチ１２０ａが形成されている。牽制アーム体１２１には，昇降操作レバー５４の軸部に引っ掛かり係合可能な昇降牽制ノッチ１２１ａと，開閉操作レバー５３の軸部に引っ掛かり係合可能な開閉牽制ノッチ１２１ｂとが形成されている。また，牽制アーム体１２１には，リフトレバー１１０の軸部に当接し得る上下一対の加圧ロール１２３，１２４が上下ロール軸１２５，１２６を介して回動可能に軸支されている。両加圧ロール１２３，１２４は，牽制アーム体１２１におけるリフト牽制ノッチ１２１ａを挟んだ上下両側に分かれて配置されている。
【００７９】
制動検出用ワイヤ１１９の一端部に取り付けられた連結金具１３０は，連結ピン１２９を介してロックアーム体１２０の一端部に固定されている。ロックアーム体１２０のうち支軸１２２を挟んで連結ピン１２９と反対の他端部には，昇降規制ノッチ１２０ａがリフトレバー１１０から離れる方向へのロックアーム体１２０の回動を規制するためのストッパー体１３１が一体形成されている。
【００８０】
連結ピン１２９には，一端部１２７ａをレバーガイド体１１８の前面に固定した挟みバネ状の制動検出バネ１２７の他端部１２７ｂが引っ掛けられている。制動検出バネ１２７は，その弾性付勢力にて，昇降操作レバー５４から昇降規制ノッチ１２０ａが離れるような回動方向に，ロックアーム体１２０を付勢している。連結ピン１２９と上加圧ロール１３の上ロール軸１２５との間には，開閉操作レバー５３から開閉牽制ノッチ１２１ｂが離れるような回動方向に牽制アーム体１２１を付勢するための引張りバネ状の解除バネ１８が装架されている。
【００８１】
なお，制動検出バネ１２７のバネ力は，ブレーキペダル８２を初期位置（ブレーキ解除位置）に維持するペダル復帰バネ（図示せず）のバネ力より小さく設定されている。解除バネ１２８のバネ力は，制動検出バネ１２７のバネ力より小さく設定されている。
【００８２】
ブレーキペダル８２が踏み込み操作されていない初期位置（ブレーキ解除位置）にある場合は，ペダル復帰バネのバネ力にて制動検出用ワイヤ１１９が引っ張られるため，ロックアーム体１２０は，制動検出バネ１２７のバネ力に抗して，図１７における支軸１２２回りの時計方向に回動し，昇降規制ノッチ１２０ａが昇降操作レバー５４の軸部に引っ掛かり係合する。このとき，牽制アーム体１２１は，解除バネ１２８のバネ力にて，図１７における支軸１２２回りの反時計方向に回動し，下加圧ロール１２４がロックアーム体１２０の側端部１２０ｂに当接する。この状態では，開閉牽制ノッチ１２１ｂが開閉操作レバー５３の軸部に引っ掛かり係合する。
【００８３】
従って，ブレーキペダル８２が踏み込み位置（ブレーキ位置）になければ，昇降操作レバー５４及び開閉操作レバー５３のいずれの操作も，ロックアーム体１２０と牽制アーム体１２１とによって禁止される。
【００８４】
図１８に示すように，ブレーキペダル８２が踏み込み操作されて後車輪６にブレーキを掛けた場合は，制動検出用ワイヤ１１９が緩むため，ロックアーム体１２０は，制動検出バネ１２７のバネ力にて，ストッパー体１３１がレバーガイド体１１８の上面に当接するまで図１８における支軸１２２回りの反時計方向に回動し，昇降規制ノッチ１２０ａが昇降操作レバー５４の軸部から外れる。このとき，牽制アーム体１２１は，解除バネ１２８のバネ力にて，図１８における支軸１２２回りの反時計方向に回動し，開閉牽制ノッチ１２１ｂが開閉操作レバー５３の軸部から外れる。上下両加圧ロール１２３，１２４は昇降操作レバー５４の軸部に当接する。
【００８５】
すなわち，ブレーキペダル８２を踏み込み操作して後車輪６にブレーキを掛けると，昇降操作レバー５４及び開閉操作レバー５３は操作可能な状態になる。
【００８６】
そこで，図１８に示すように，先に開閉操作レバー５３を上下回動操作すると，開閉操作レバー５３が牽制アーム体１２１の規制端部１２１ｃ又は１２１ｄとの当接位置に移動して，牽制アーム体１２１を図１８に示す支軸１２２回りの反時計方向に更に回動させ，上下両加圧ロール１２３，１２４の間にある昇降牽制ノッチ１２１ａを昇降操作レバー５４の軸部に引っ掛かり係合させる。
【００８７】
この状態で昇降操作レバー５４を上下回動操作しようとしても，開閉操作レバー５３の軸部に牽制アーム体１２１の規制端部１２１ｃ又は１２１ｄが当たって，牽制アーム体１２１の時計方向の回動が阻止され，昇降操作レバー５４の軸部と昇降牽制ノッチ１２１ａとの係合が維持されるから，昇降操作レバー５４を上下回動操作できない。つまり，開閉操作レバー５３を上下回動操作した状態では，開閉操作レバー５３と牽制アーム体１２１との協働作用によって昇降操作レバー５４の上下回動操作が禁止される。
【００８８】
他方，図１９に示すように，先に昇降操作レバー５４を上下回動操作すると，昇降操作レバー５４が解除バネ１２８のバネ力に抗して一方の加圧ロール１２３又は１２４を押圧して，牽制アーム体１２１を図１９に示す支軸１２２回りの時計方向に回動させ，開閉牽制ノッチ１２１ｂを開閉操作レバー５３の軸部に引っ掛かり係合させる。
【００８９】
この状態で開閉操作レバー５３を上下回動操作しようとしても，昇降操作レバー５４の軸部に一方の加圧ロール１２３又は１２４が当たって，牽制アーム体１２１の反時計方向の回動が阻止され，開閉操作レバー５３の軸部と開閉牽制ノッチ１２１ｂとの係合が維持されるから，開閉操作レバー５３を上下回動操作できない。つまり，昇降操作レバー５４を上下回動操作した状態では，昇降操作レバー５４と牽制アーム体１２１との協働作用によって開閉操作レバー５３の上下回動操作が禁止される。
【００９０】
従って，ブレーキペダル８２を踏み込み操作して後車輪６にブレーキを掛けておけば，オペレータは昇降操作レバー５４及び開閉操作レバー５３のいずれか一方を択一的に上下回動操作できるのである。
【００９１】
（６）．制限機構の構造
次に，図２０を参照しながら，昇降操作レバー５４の誤操作による集草ボックス１８の昇降動を防止するための制限機構の構成について説明する。
【００９２】
実施形態における芝刈機１の制限機構１４０は，バッテリ６４と，電源印加用のキースイッチ１４１と，電磁放てきバルブ１３５の電磁放てきソレノイド１３６とを備えている。この場合，バッテリ６４に，キースイッチ１４１と電磁放てきソレノイド１３６とが直列に接続されている。キースイッチ１４１は，エンジン７を始動するためのスタータ（図示せず）にも接続可能に構成されている。
【００９３】
キースイッチ１４１と電磁放てきソレノイド１３６との間には，操縦座席９にオペレータが着座すると入り作動するオンオフ切換スイッチ型のオペレータセンサ１４２，後蓋板２１が集草ボックス１８の後面開口を塞ぐ閉位置にあると切り作動するオンオフ切換スイッチ型の後蓋板検出センサ１４３と，底蓋板２０が集草ボックス１８の底面開口を塞ぐ閉位置にあると切り作動するオンオフ切換スイッチ型の底蓋板検出センサ１４４と，集草ボックス１８が下げ位置にあると入り作動するオンオフ切換スイッチ型の集草ボックスセンサ１４５とが直列に接続されている。
【００９４】
後蓋板検出センサ１４３は，後蓋板２１に対する上部リンク２４を回動可能に軸支するピン軸２４ａに関連付けて設けられている。底蓋板検出センサ１４４は，底蓋板２０を回動可能に軸支する枢着ピン２３に関連付けて設けられている。集草ボックスセンサ１４５は，排出ダクト１４の後部内面側（走行機体２側）に設けられており，集草ボックス１８が下げ位置にあるときに，底部誘導板２８が集草ボックスセンサ１４５に接触することによって，集草ボックスセンサ１４５が入り作動するように構成されている。
【００９５】
この場合，（１）操縦座席９にオペレータが着座し，（２）（３）後蓋板２１及び底蓋板２０が開き回動し，且つ（４）集草ボックス１８が下げ位置にある、という４つの条件が全て揃えば，前述した４つのセンサ１４２〜１４５の入り作動にて電磁放てきソレノイド１３６が切換駆動し，電磁放てきバルブ１３５から昇降用油圧バルブ１０７への作動油の供給が停止する。その結果，作動油が昇降用油圧シリンダ３０には送られず，昇降操作レバー５４を操作しても，昇降用油圧シリンダ３０ひいては集草ボックス１８が昇降動しないのである。
【００９６】
（７）．集草排出機構の動作態様
次に，図１及び図１０〜図１４を参照しながら，集草排出機構の動作態様の一例について説明する。
【００９７】
以上の構成において，前記集草排出機構１６における集草ボックス１８を，その底蓋板２０及び後蓋板２１を閉じた状態で下降した位置に保持することにより，前記排出ダクト１４から放出される刈草を受け入れる姿勢とし，この状態で，芝刈機１を，そのロータリー式芝刈り機構１３を駆動しながら前進走行することにより，所定の芝刈りを行うことができ，前記ロータリー式芝刈り機構１３にて刈り取られた刈草は，排出ダクト１４及び底部誘導板２８を介して前記集草ボックス１８内に入るように集められる。
【００９８】
そして，前記集草ボックス１８内に所定量の刈草が溜まると，草刈り作業及び前進走行を停止して，集草ボックス１８内からの刈草の放出作業を開始する。この放出作業に際しては，先ず，前記両昇降用油圧シリンダ３０を，その昇降操作レバー５４の上げ位置への操作によりピストンが突出動するように作動して，前記集草ボックス１８を持ち上げるようにする。
【００９９】
すると，先ず，この両昇降用油圧シリンダ３０の基端におけるレバー体４０が後方に回動して，その枢着ピン４３がストッパー部４４に接当する状態になるから，図１０に示すように，このレバー体４０に設けたアウトリガー４５が，地面４に接近するように突出して，芝刈機１の前部が浮き上がるように後ろ方向に傾くことを阻止できる状態になる。これと同時に，前記レバー体４０に設けたバンパー体４６が，前記ストッパー部４４と実質的に同じ位置にまで後方に突出するか，このストッパー部４４よりも更に後方に突出する状態になる。つまり，前記集草ボックス１８の持ち上げ作動の前に，アウトリガー４５が地面４に接近するように突出し，バンパー体４６が後方に突出する。
【０１００】
次いで，前記両昇降用油圧シリンダ３０における更なるピストン突出動にて上下一対のリフト用リンク３１，３２が上向きに回動することにより，図１１に示すように，前記集草ボックス１８が，その底蓋体２０及び後蓋板２１を閉じた状態のままで持ち上げられ，そして，最も高い位置まで持ち上げられると，前記昇降操作レバー５４を中立位置に操作することにより，前記両昇降用油圧シリンダ３０における更なるピストン突出動，つまり，前記集草ボックス１８の持ち上げが停止すると同時に，前記集草ボックス１８がロック手段４９にて前記した最も高い位置から下降しないようにロックするようにしている。
【０１０１】
なお，前記両昇降用油圧シリンダ３０は，前記集草ボックス１８を最大上げ位置に持ち上げた状態になると，自動的にそのピストン作動停止する中立位置になるように構成することができる。また，前記集草ボックス１８は，下げ位置において排出ダクト１４から放出される刈草を受け入れる状態のときには，前部が低くて後部が高くなるように前傾斜しているが，最も高い位置まで持ち上げられた状態においては，逆に前部が高くて後部が低くなるように後ろ傾斜になるように構成されている。
【０１０２】
そして，この状態で，前記芝刈機１を，前進又は後進走行するように走行操作することで，図１２に示すように，その後部が地面４に置かれた集草用コンテナＡに接近するように移動して，前記のように高く持ち上げた集草ボックス１８が前記集草用コンテナＡの真上に位置する。前記芝刈機１をその後部が前記集草用コンテナＡに接近するように後進走行する際に，前記集草用コンテナＡへの衝突にて破損が発生することを前記バンパー体４６にて確実に回避できる。
【０１０３】
そして，前記開閉用油圧シリンダ２６を，その開閉操作レバー５３の開位置への操作によりピストンが突出動するように作動させる。すると，図１２に示すように，前記集草ボックス１８に対する後蓋板２１が開き回動するから，前記集草ボックス１８内における刈草の前記集草用コンテナＡ内への排出が始まる。
【０１０４】
次いで，前記集草ボックス１８に対する底蓋板２０が，前記後蓋板２１における開き回動に可撓性を有する金属製ワイヤ２７を介して連動して，図１３に示すように，その前端が跳ね上がる一方後端が下がるように回動して集草ボックス１８の底面を開放するから，前記集草ボックス１８内における刈草の前記集草用コンテナＡ内への排出が更に進行する。
【０１０５】
前記後蓋板２１が全開になると，前記開閉操作レバー５３を中立位置に操作することにより，前記両開閉用油圧シリンダ２６における更なるピストン突出動，つまり，前記後蓋板２１の開き作動を停止する。なお，前記両開閉用油圧シリンダ２６は，前記後蓋板２１が最大に開くと，自動的にそのピストンが作動停止する中立位置になるように構成することができる。
【０１０６】
次いで，前記集草ボックス１８内における刈草の排出に伴い，その排出落下中の刈草が，前記底蓋板２０における後端に当たることにより，前記底蓋板２０が，図１４に示すように，当該底蓋板２０と前記後蓋板２１とを連動連結する金属製ワイヤ２７を弛ませながら，前記後蓋体２１の開き回動にかかわらず，自動的に更に大きく開き回動するから，前記集草ボックス１８内における刈草の全てを排出することができる。
【０１０７】
なお，前記底蓋板２０におけるその後端に排出落下中の刈草が当たることによる開き回動は，以下に述べるように，前記後蓋板２１における開き回動に追従して行うように構成している。すなわち，図９に示すように，前記開閉用油圧シリンダ２６の基端における枢着ピン５５に，前記底蓋板２０における後端部の下面が接当する受け片５６ａを備えたレバー体５６を回転自在に設け，このレバー体５６を，リンク５７を介して前記下部リンク２５に，当該下部リンク２５の上向き回動，つまり，前記後蓋板２１を開く方向への回動に伴って下向きに回動するように連結することにより，前記底蓋板２０におけるその後端に排出落下中の刈草が当たることによる開き回動，ひいては，当該底蓋板２０における開き回動による刈草の排出を，急速に一挙に行うことがないように構成している。
【０１０８】
このようにして，前記集草ボックス１８内における刈草の集草用コンテナＡ内への排出が完了すると，前記開閉操作レバー５３の閉位置への操作にて前記後蓋板２１を閉じることにより，前記底蓋板２０が，その前端における重量によって自動的に閉じる。なお，前記開閉操作レバー５３は，前記後蓋板２１を閉じたときにおいて中立位置にするが，これを自動的に行うように構成することもできる。
【０１０９】
次いで，前記芝刈機１を前記集草用コンテナＡから離れるように移動したのち，前記昇降操作レバー５４を下げ位置に操作して，前記両昇降用油圧シリンダ３０をピストン後退動に作動することにより，前記集草ボックス１８は，前記図１０に示すように，下降して前記排出ダクト１４から放出される刈草を受け入れる姿勢に戻る。
【０１１０】
次いで，前記両昇降用油圧シリンダ３０が更にピストン後退動することにより，前記両レバー体４０が，その枢着ピン４３がストッパー部４４から離れるように前方向に回動して，そのストッパー片４７が下部ブラケット部材３５又はマスト部材２９に接当するように前方回転するから，前記アウトリガー４５及びバンパー体４６が，図１に示すように，元の後退した位置に戻って，前記草刈り作業を行う状態に復帰する。
【０１１１】
なお，前記昇降操作レバー５４は，前記両レバー体４０が第２ブラケット部材３５又はマスト部材２９に接当するように前方回転したときにおいて中立位置にするが，これを自動的に行うように構成することもできる。また，前記実施の形態は，前記アウトリガー４５における突出を，前記集草ボックス１８の持ち上げを開始する前（直前）の時期において，行うように構成した場合であったが，更に別の実施の形態においては，集草ボックス１８の持ち上げを開始したあとで，且つ，高い高さにまで持ち上げるまでの間，つまり，持ち上げ途中の時期において行う構成にすることができる。
【０１１２】
（８）．その他
上記した実施形態の各構成は図示のものに限定されるものではなく，本願発明の趣旨を逸脱しない範囲で種々変更が可能である。
【図面の簡単な説明】
【０１１３】
【図１】実施形態における芝刈機の側面図である。
【図２】図１の平面図である。
【図３】図１において集草ボックスを取り外して斜め後方から見た斜視図である。
【図４】図１において集草排出機構を斜め前方から見た斜視図である。
【図５】図４のＩＶ−ＩＶ視断面図である。
【図６】集草排出機構を構成するリフト機構を示す斜視図である。
【図７】図６の要部拡大図である。
【図８】集草ボックスを最大上げ位置で斜め前方から見た斜視図である。
【図９】集草ボックスを最大上げ位置で斜め後方から見た斜視図である。
【図１０】刈草放出作業の第１状態を示す図である。
【図１１】刈草放出作業の第２状態を示す図である。
【図１２】刈草放出作業の第３状態を示す図である。
【図１３】刈草放出作業の第４状態を示す図である。
【図１４】刈草放出作業の第５状態を示す図である。
【図１５】芝刈機の油圧回路図である。
【図１６】昇降操作レバー及び開閉操作レバーの取り付け構造を示す一部切欠き側面図である。
【図１７】昇降操作レバー及び開閉操作レバーの取り付け構造を示す正面図である。
【図１８】開閉操作レバーの作動説明図である。
【図１９】昇降操作レバーの作動説明図である。
【図２０】制限機構の電気回路図である。
【符号の説明】
【０１１４】
１  芝刈機
２  走行機体
３  サイドフレーム
４  地面
５  前輪
６  後輪
７  エンジン
８  操縦ハンドル
９  操縦座席
１３  ロータリー式芝刈り機構
１４  排出ダクト
１５  ロープ掛け具
１６  集草排出機構
１８  集草ボックス
１９  リフト機構
２０  底蓋板
２１  後蓋板
２３  底蓋板の枢着ピン
２６  蓋の開閉用油圧シリンダ
２７  可撓性ワイヤー
２９  マスト部材
３０  昇降用油圧シリンダ
３１，３２  昇降用リンク
３４  第１ブラケット部材
３５  第２ブラケット部材
３６，３７  基端枢着ピン
３８，３９  先端枢着ピン
４０  レバー体
４１  枢着ピン
４３  昇降用油圧シリンダの枢着ピン
４４  ストッパー部
４５  アウトリガー
４６  リアバンパー
５２  ＰＴＯ操作レバー
５３  開閉操作レバー
５４  昇降操作レバー
【図１】
2008295433.tif 000003
【図２】
2008295433.tif 000004
【図３】
2008295433.tif 000005
【図４】
2008295433.tif 000006
【図５】
2008295433.tif 000007
【図６】
2008295433.tif 000008
【図７】
2008295433.tif 000009
【図８】
2008295433.tif 000010
【図９】
2008295433.tif 000011
【図１０】
2008295433.tif 000012
【図１１】
2008295433.tif 000013
【図１２】
2008295433.tif 000014
【図１３】
2008295433.tif 000015
【図１４】
2008295433.tif 000016
【図１５】
2008295433.tif 000017
【図１６】
2008295433.tif 000018
【図１７】
2008295433.tif 000019
【図１８】
2008295433.tif 000020
【図１９】
2008295433.tif 000021
【図２０】
2008295433.tif 000022